(57)【要約】【課題】弁体の摺動抵抗の増加を抑制すると共に、シール部材の耐久性を向上させた流量調整弁を提供する。【解決手段】弁ハウジングの内部に、モータによって進退する弁軸３に取り付けられた弁体と、弁ハウジングの内部に固定され弁軸が貫通し弁軸を進退可能に案内する案内部材４とが設けられ、弁体は、弁軸の後端側へ突出し、潤滑油を塗布したシール部材３８を介して内周面５１が案内部材の外周面に摺動可能に嵌められた筒状部５０を備え、弁ハウジングの内部に弁口が設けられ、筒状部の内周面がシール部材を介して案内部材の外周面を摺動しながら弁体が弁口に対して進退することにより、弁口を通過する流体の流量を調整する流量調整弁であって、筒状部の内周面又は案内部材の外周面に、シール部材を押圧し、弁口を開放させた状態でのシール部材のつぶし代よりも弁口を閉鎖した状態でのつぶし代Ａを大きく設定するシール部材圧縮部６０を形成した。【選択図】図２
2015230060.tif 000002
【特許請求の範囲】
【請求項１】
弁ハウジングの内部に、モータによって進退する弁軸の先端に取り付けられた弁体と、前記内部に固定され前記弁軸が貫通して該弁軸を進退可能に案内する略筒状の案内部材と、が設けられて、前記弁体は、前記弁軸の後端側へ突出し、潤滑油を塗布したシール部材を介して内周面が前記案内部材の外周面に摺動可能に嵌められた筒状部を備え、前記弁ハウジングの内部に、弁口が開口する弁座が設けられると共に、前記筒状部の前記内周面が前記シール部材を介して前記案内部材の外周面を摺動しながら前記弁体が前記弁口に対して進退することにより、前記弁口を通過する流体の流量を調整する流量調整弁であって、
前記シール部材を、前記筒状部の前記内周面と前記案内部材の前記外周面との何れか一方に設け、他方に、前記シール部材を押圧し、前記弁体が前記弁口から後退して該弁口を開放させた状態での前記シール部材のつぶし代よりも前記弁体が前記弁口に向けて前進して該弁口を閉鎖した状態での前記つぶし代を大きく設定するシール部材圧縮部を形成したことを特徴とする流量調整弁。
【請求項２】
前記シール部材圧縮部は、前記弁軸の後端側に向かうに従って、前記内周面を前記シール部材への接近側へ連続して傾斜又は前記弁軸の先端側に向かうに従って、前記外周面を前記シール部材への接近側へ連続して傾斜させたテーパ面であることを特徴とする請求項１に記載の流量調整弁。
【発明の詳細な説明】
【技術分野】
【０００１】
この発明は、弁ハウジングの内部に、モータによって進退する弁軸の先端に取り付けられた弁体と、前記内部に固定され前記弁軸が貫通して該弁軸を進退可能に案内する略筒状の案内部材と、が設けられ、前記弁ハウジングの内部に弁口が設けられて、前記弁体が前記弁口に対して進退することにより、前記弁口を通過する流体の流量を調整する流量調整弁に関する。
【背景技術】
【０００２】
例えば、特許文献１には、弁体の摺動抵抗を減少させると共に、シール部材の耐久性を損なわないようにした流量調整弁が開示されている。特許文献１の流量調整弁は、モータによって進退する弁軸の先端に弁体を取り付け、この弁体を弁口に対して進退させることにより、該弁口を通過する流体の流量を調整するものである。さらに、この流量調整弁では、弁体の後端側外周にシール部材を装着すると共に、前記弁体の後端側を覆うシリンダ状の固定ハウジングが設けられており、この固定ハウジングの内周面の後方部分を前方部分より拡径させている。そして、弁体の後方には、前記内周面と弁体の後端面とで囲まれる背圧室が設けられており、弁体を前進させて弁口の開度を最小に絞ったときは、シール部材が前記内周面の前方部分に密着し、背圧室と弁口の一次側との間をシールした状態で、前記背圧室を弁口の二次側に連通させている。これにより、背圧室の圧力が前記二次側の圧力とほぼ等しくなる結果、弁体の背面と前面とには、ほぼ同じ圧力が作用することになるため、これらの圧力によって弁体を押す力は相殺される。よって、モータによって弁体を弁口から後退させる際に、モータは大きなトルクを必要としない。一方、この流量調整弁によれば、弁体を後退させて弁口の開度が所定の開度以上になると、この弁体に装着されたシール部材が、固定ハウジングの内周面の前方部分よりも拡径された後方部分に移動し、シール部材が前記内周面に密着しなくなる。したがって、シール部材が前記内周面に密着することによって生じる弁体の摺動抵抗を減少させることができる。これと共に、シール部材が前記内周面に擦れることが繰り返されて摩耗することを抑制できるため、シール部材の耐久性が損なわれない。なお、弁体を後退させて弁口の開度が所定の開度以上になると、弁口を通じて連通する弁口の一次側の圧力と二次側の圧力とがほぼ等しくなるため、シール部材が前記内周面に密着していなくても、モータで弁体を弁口に対して進退させる際に、モータは大きなトルクを必要としない。
【先行技術文献】
【特許文献】
【０００３】
【特許文献１】特開２０１４−１７８０号公報
【発明の概要】
【発明が解決しようとする課題】
【０００４】
ところで、一般に、弁体に装着されたシール部材と固定ハウジングの内周面との摩擦を低減するために、このシール部材の表面にはグリス等の潤滑油が塗布されている。上記の流量調整弁のように、シール部材が固定ハウジングの内周面と密着せず、このシール部材と前記内周面との間に隙間が生じた場合には、この隙間を通過する流体によって、シール部材の表面から潤滑油が流れ出すことが考えられる。このような場合には、弁体が弁口に対して進退する際に、潤滑油が介在しない状態でシール部材が固定ハウジングの内周面と密着すると、弁体の摺動抵抗が増加するという不都合がある。これに加えて、潤滑油が介在しない状態でシール部材が固定ハウジングの内周面と密着しながら前記弁体が進退すると、シール部材が前記内周面に擦れて摩耗する度合いが高くなるため、シール部材の耐久性が低下することも考えられる。
【０００５】
この発明は、このような状況に鑑み提案されたものであって、弁体の摺動抵抗が増加することを抑制すると共に、シール部材の耐久性を向上させた流量調整弁を提供することを目的とする。
【課題を解決するための手段】
【０００６】
上記目的を達成するために、請求項１に記載の発明は、弁ハウジングの内部に、モータによって進退する弁軸の先端に取り付けられた弁体と、内部に固定され弁軸が貫通して弁軸を進退可能に案内する略筒状の案内部材と、が設けられて、弁体は、弁軸の後端側へ突出し、潤滑油を塗布したシール部材を介して内周面が案内部材の外周面に摺動可能に嵌められた筒状部を備え、弁ハウジングの内部に、弁口が開口する弁座が設けられると共に、筒状部の内周面がシール部材を介して案内部材の外周面を摺動しながら弁体が弁口に対して進退することにより、弁口を通過する流体の流量を調整する流量調整弁であって、シール部材を、筒状部の内周面と案内部材の外周面との何れか一方に設け、他方に、シール部材を押圧し、弁体が弁口から後退して弁口を開放させた状態でのシール部材のつぶし代よりも弁体が弁口に向けて前進して弁口を閉鎖した状態でのつぶし代を大きく設定するシール部材圧縮部を形成したことを特徴とするものである。なお、筒状部の内周面がシール部材を介して案内部材の外周面を摺動しながら弁体が弁口に対して進退するには、前記内周面が、シール部材を押圧して圧縮変形させ該シール部材に密着した状態で、前記外周面に沿って進退しながら、弁体が弁口に対して進退することを含む。
請求項２に記載の発明は、請求項１に記載の構成において、シール部材圧縮部は、弁軸の後端側に向かうに従って、内周面をシール部材への接近側へ連続して傾斜又は弁軸の先端側に向かうに従って、外周面をシール部材への接近側へ連続して傾斜させたテーパ面であることを特徴とするものである。
【発明の効果】
【０００７】
請求項１に記載の発明によれば、弁体が弁口を開放させた状態よりも該弁口を閉鎖した状態での筒状部の内周面と案内部材の外周面との間のシール性能を向上させながら、弁体が弁口を開放及び閉鎖した状態において、シール部材が筒状部の内周面に密着した状態が保たれるため、シール部材と前記内周面との間に流体が流通することがない。これにより、シール部材に塗布された潤滑油が、前記流体によって流れ出すことがない。その結果、弁体が弁口に対して進退する際には、潤滑油を塗布したシール部材を介し、弁体が備える筒状部の内周面が、案内部材の外周面を摺動するため、該外周面に沿って前記内周面（弁体）を円滑に摺動させることができる。よって、弁体の摺動抵抗が増加することを抑制できる。
さらに、潤滑油を塗布したシール部材を介し、弁体が備える筒状部の内周面が、案内部材の外周面に沿って円滑に摺動すれば、シール部材が前記内周面に擦れて摩耗する度合いを低くできる。これにより、シール部材の耐久性を向上させることができる。
請求項２に記載の発明によれば、筒状部が弁口に向けて前進して、弁体が該弁口を閉鎖するときには、筒状部が弁口から後退して、弁体が該弁口を開放するときと比較して、筒状部のテーパ面をシール部材により接近させることができる。これにより、弁体が弁口を開放するときよりも閉鎖するときの方が、テーパ面でシール部材を押圧する力を強めることができる。よって、弁体が弁口を開放するときよりも閉鎖するときの方が、シール部材のつぶし代を大きく設定できる。
また、弁体が弁口に対して進退する際には、連続するテーパ面は、潤滑油を塗布したシール部材と当接しながら円滑に移動することが可能になる。その結果、シール部材がテーパ面に擦れて摩耗することを抑制できる。
【図面の簡単な説明】
【０００８】
【図１】本発明の実施形態で弁体の閉鎖部材が弁口を閉鎖したときの流量調整弁の要部縦断面図である。
【図２】同閉鎖部材が弁口を閉鎖したときに弁体の筒状部のテーパ面によってＯリングが押圧された状態を示す図である。
【図３】弁体が弁口を開放させたときに同テーパ面によってＯリングが押圧された状態を示す図である。
【図４】弁体が弁口を開放させたときの流量調整弁の部分拡大断面図である。
【発明を実施するための形態】
【０００９】
本発明の実施形態を図１ないし図４を参照しつつ説明する。図１に示す流量調整弁１は、給湯装置内に組み込まれて、熱交換器に流れる水（本発明の流体の一例）の流量を調整するために用いられる。この流量調整弁１は、弁ハウジング２と、弁軸３と、案内部材４と、弁体５とを備えている。
【００１０】
弁ハウジング２は、内部に弁室１０を備えており、弁ハウジング２の下部（図１の下側）に水の流入口１１が開口し、弁ハウジング２の正面部（図１の左側）に水の流出口１２が開口する。流入口１１には、例えば水道管（図示せず。）から水が供給され、流出口１２には、熱交換器に繋がる入水管（図示せず。）が接続されている。さらに、弁ハウジング２の内部には、一端が流入口１１に通じ他端が弁室１０の下方（図１の下側）から該弁室１０に連通する流入路１４と、一端が流出口１２に通じ他端が弁室１０の前方（図１の左側）から該弁室１０に連通する流出路１５とが形成されている。加えて、弁室１０の内面には、流出路１５を臨んで弁室１０内へ環状に突出し、弁口１６（図４参照。）が開口する弁座１７が形成されている。また、流出路１５の内面には、流出口１２を臨んで環状に突出し、流出口１２と弁口１６と連通させる連通孔１８を有する突出部１９が形成されている。なお符号２０は羽根車であり、流入路１４内を流れる水の流量の検出に用いられる。
【００１１】
弁軸３は、弁ハウジング２の背面部（図１の右側）に開口し弁室１０に通じる開口部２２から弁室１０内に挿入される。この弁軸３の後端（図１の右側）は、駆動モータＭの回転軸に連結されている。ここでは、駆動モータＭとしてステッピングモータを用いた。図１に示すように、弁軸３の後端側（図１の右側）の外周面には雄ネジ部２４が形成されている。この雄ネジ部２４は、後述する案内部材４の雌ネジ部２８（図１参照。）と螺合する。
【００１２】
案内部材４は、弁軸３の軸線方向（図１の左右方向）に延びて後端側（図１の右側）に拡径部２６が形成された円筒状に形成されている。この案内部材４は、軸心を貫通する貫通孔２７を有する。図１に示すように、拡径部２６の内部で貫通孔２７の内周面には、雌ネジ部２８が形成されている。案内部材４（拡径部２６）は、前記開口部２２の中心と貫通孔２７の軸心とを一致させた状態で、弁ハウジング２の背面部の内側に当たる弁室１０の背面側内壁面３０に支持されている。この背面側内壁面３０には、該背面側内壁面３０に支持される拡径部２６の後部（図１の右側）が嵌まる貫通孔３１が設けられた環状の保持部材３２が固定されている。さらに、拡径部２６の前部（図１の左側）の外周には、環状の突出部３３が拡径部２６の外側に向けて突設されている。図１に示すように、拡径部２６の外面にはＯリング３４が装着されている。拡径部２６を背面側内壁面３０に支持したときに、Ｏリング３４は、突出部３３と保持部材３２との間に位置し弁室１０の内周面３５に密着する。これにより、拡径部２６と内周面３５との間がシールされる。さらに、案内部材４の前端側（図１の左側）の外周面には、凹状のシール部材支持溝３７が形成されている。そして、Ｏリング３８が、シール部材支持溝３７に嵌合されて該シール部材支持溝３７から張り出している。このＯリング３８の外周面には、潤滑油であるグリスが塗布されている。図１に示すように案内部材４の貫通孔２７には、弁軸３が、その雄ネジ部２４を案内部材４の雌ネジ部２８に螺合した状態で挿通される。同図に示すように、弁軸３には、その軸線方向の略中央部の外面にＯリング３９，４０が装着されている。このＯリング３９，４０により、弁軸３は、貫通孔２７に対し貫通孔２７の内周面とのシール状態を保ちなから挿通される。
【００１３】
弁体５は、弁軸３の軸線方向に延びる円筒状とされている。この弁体５は、軸心を貫通する貫通孔４１を有する。そして、弁体５の外周面には、弁座１７に着座して弁口１６を閉鎖する環状の閉鎖部材４２が装着されている。また、貫通孔４１の前側（図１の左側）には、略筒状をした連結部材４３が嵌合している。この連結部材４３の後端面（図１の右側）に弁軸３の先端面が連結されることにより、弁体５は弁軸３に取り付けられる。連結部材４３の前端面（図１の左側）には、連結部材４３の軸心と同軸で該連結部材４３より小径の筒部４４が突設されている。この筒部４４は、連通孔１８の内周面との間に隙間が形成された状態で、該連通孔１８に挿通されて流出路１５に突出する。図１に示すように、連結部材４３の後端側には、該連結部材４３の前端側よりも小径で弁軸３と同径とされた部位を備え、この部位には、上下方向で連結部材４３の後端側（前記部位）を貫通する貫通孔４５が形成されている。さらに、この貫通孔４５には、筒部４４の前端面に開口して筒部４４の軸心及び連結部材４３の軸心に沿って形成される水の流通路４６が連通する。
【００１４】
さらに弁体５には、弁軸３の軸線方向で該弁軸３の後端側へ突出する筒状部５０が連設されている。この筒状部５０は、弁体５よりも大径とされており、筒状部５０の内周面５１の内径寸法は、弁体５の貫通孔４１の内径寸法よりも大きく設定されている。図１に示すように、前記内周面５１は、Ｏリング３８を介して案内部材４の前端側の外周面に嵌められている。加えて、筒状部５０の前部（図１の左側）の外周には、環状の延設部５２が延設されている。本実施形態では、コイルばね５３が、弁軸３の軸線方向で案内部材４と弁体５との間に挟止されている。具体的にはコイルばね５３は、筒状部５０の外周面と案内部材４の外周面とに装着されて、前記軸線方向で延設部５２と拡径部２６の突出部３３との間に挟止されている。さらには、図１に示すように、弁体５の背面側（図１の右側）に背圧室５５が形成されている。具体的には、前記内周面５１が案内部材４の前端側の外周面に嵌められると、案内部材４の前端面と、前記内周面５１及び筒状部５０の前側内壁面（図１の左側）と、貫通孔４１の内周面と、連結部材４３の後端面とで囲まれる背圧室５５が形成されている。この背圧室５５は、連結部材４３の貫通孔４５及び流通路４６を通じて流出路１５と連通している。
【００１５】
また、本実施形態の特徴的な構成として、図１及び図２に示すような、弁体５の閉鎖部材４２が弁口１６を閉鎖した状態でのＯリング３８のつぶし代Ａを、前記閉鎖部材４２が弁座１７に着座せず弁口１６を開口させた状態（図３及び図４参照。）でのＯリング３８のつぶし代Ｂよりも大きく設定するため、筒状部５０の内周面５１を、弁軸３の軸線方向（図２及び図３の左右方向）で該弁軸３の後端側（図２及び図３の右側）に向かうに従ってＯリング３８への接近側へ傾斜させたテーパ面６０とした。さらに、このテーパ面６０を、前記軸線方向で弁軸３の先端側（図２及び図３の左側）から後端側へ単一の傾斜角で連続して傾斜するように形成した。図２及び図３では、弁軸３のＯリング３９，４０（図１参照。）、雄ネジ部２４及び雌ネジ部２８（図１参照。）の図示を省略した。図２及び図３に示すつぶし代Ａ，Ｂとは、テーパ面６０がＯリング３８の外周面を押圧することによる該Ｏリング３８の径方向内側への圧縮変形量を意味する。なお、Ｏリング３８は本発明のシール部材の一例である。
【００１６】
次に、本実施形態の流量調整弁１の動作を説明する。熱交換器に繋がる入水管に流れる水の流量を調整するために、例えば図示しないコントローラによって、図１に示す駆動モータＭを正回転させる。すると、駆動モータＭの回転軸に連結された弁軸３の雄ネジ部２４が、案内部材４の雌ネジ部２８に螺合しながら、弁軸３は、回転しつつネジ送り移動されて該弁軸３の軸線方向で前進する。これに伴って、弁軸３に取り付けられた弁体５の筒状部５０のテーパ面６０は、Ｏリング３８を介して案内部材４の外周面に沿って前記軸線方向で弁口１６に向けて前進する。その結果、弁体５は、前記軸線方向で弁口１６に向けて前進すると共にコイルばね５３で弁口１６に向けて押される。一方、前記コントローラによって、駆動モータＭを逆回転させると、前記雄ネジ部２４が前記雌ネジ部２８に螺合しながら、弁軸３は、回転しつつネジ送り移動されて前記軸線方向で後退する。これに伴って、前記テーパ面６０は、Ｏリング３８を介して案内部材４の外周面に沿って前記軸線方向で弁口１６から後退する。その結果、弁体５は、コイルばね５３の付勢力に抗し前記軸線方向で弁口１６から後退する。このように、駆動モータＭの正逆回転によって、前記軸線方向における弁口１６に対する弁体５の位置を調整すると、弁体５と弁口１６との間の隙間量が調整可能となる。これにより、流入口１１から弁口１６及び連通孔１８の内周面と筒部４４との間の隙間を通過して流出口１２に流れる水の流量が調整可能となる。
【００１７】
図１及び図２に示すように、弁体５が弁軸３の軸線方向で弁口１６に向けて前進し、コイルばね５３で弁口１６に向けて押された閉鎖部材４２（図１参照。）が、弁座１７に着座し弁口１６を閉鎖した状態では、Ｏリング３８の外周面は、テーパ面６０によって押圧され、つぶし代Ａが与えられて圧縮変形する。これにより、Ｏリング３８の外周面とテーパ面６０との間に隙間はなく、該外周面がテーパ面６０に密着した状態が保たれる。このため、Ｏリング３８の外周面とテーパ面６０との間に、弁室１０内の水や背圧室５５内の水が流れ込んで流通することはない。したがって、Ｏリング３８の外周面に塗布されたグリスが水によって流れ出すことを防止できる。
【００１８】
また、図２に示すようにＯリング３８の外周面がテーパ面６０に密着すると、背圧室５５と弁室１０との間はシールされることになる。そして、図１に示すように背圧室５５は、弁体５の貫通孔４１ならびに連結部材４３の貫通孔４５及び流通路４６を通じて流出路１５と連通している。これにより、背圧室５５内の圧力は流通路１５内の圧力とほぼ等しくなる。その結果、弁体５の背面側（図１の右側）と正面側（図１の左側）とには、ほぼ同じ圧力が作用することになるため、これらの圧力によって弁体５を押す力が相殺される。これにより、駆動モータＭの駆動により弁軸３及び弁体５を弁口１６から後退させる際に、駆動モータＭが大きなトルクを必要としないという利点がある。
【００１９】
さらに本実施形態では、弁体５が弁軸３の軸線方向で弁口１６から後退し、コイルばね５３の付勢力に抗し弁体５が弁口１６を開放した状態でも、図３に示すように、Ｏリング３８の外周面は、テーパ面６０によって押圧され、つぶし代Ｂが与えられて圧縮変形する。これにより、弁口１６を閉鎖した場合と同様に、弁口１６を開放した状態でも、Ｏリング３８の外周面がテーパ面６０に密着した状態が保たれるため、弁室１０内の水や背圧室５５内の水が、Ｏリング３８の外周面とテーパ面６０との間に流れ込んで流通することはない。したがって、Ｏリング３８の外周面に塗布されたグリスが水によって流れ出すことを防止できる。ただし、つぶし代Ａはつぶし代Ｂよりも大きく設定されている。これは、図１及び図２に示すような閉鎖部材４２で弁口１６を閉鎖した状態では、図３及び図４に示すような弁体５が弁口１６を開放した状態と比較して、テーパ面６０がＯリング３８の外周面により接近するからである。これにより、弁口１６を開放した状態よりも閉鎖した状態の方が、テーパ面６０でシール部材３８の外周面を押圧する力が強まるからである。なお、つぶし代Ａをつぶし代Ｂよりも大きく設定した理由は、弁口１６を開放させた状態よりも閉鎖した状態での背圧室５５と弁室１０との間のシール性能を向上させ、上述したように、背圧室５５内の圧力と流通路１５内の圧力とをほぼ等しくするためである。
【００２０】
加えて本実施形態では、図１及び図２に示すように閉鎖部材４２で弁口１６を閉鎖した状態から、駆動モータＭを逆回転させて弁体５を弁口１６から後退させ、図３及び図４に示すような弁体５が弁口１６を開放した状態に移行させる最中や、弁体５（閉鎖部材４２）が弁口１６を開放した状態から、駆動モータＭを正回転させ弁体５を弁口１６に向けて前進させる最中は、テーパ面６０が、Ｏリング３８の外周面と密着した状態を保ちながら、弁軸３の軸線方向で案内部材４の外周面に沿って摺動する。このとき、Ｏリング３８の外周面にグリスが塗布された状態が保たれるため、テーパ面６０を、該Ｏリング３８を介し案内部材４の外周面に沿って円滑に摺動させることができる。よってテーパ面６０（弁体５）の摺動抵抗が増加することを抑制できる。これに加えて、テーパ面６０が、グリスが塗布されたＯリング３８を介して案内部材４の外周面に沿って円滑に摺動すれば、Ｏリング３８の外周面がテーパ面６０に擦れて摩耗する度合いを低くできる。
【００２１】
さらには、弁体５が弁口１６に向けて前進したり弁口１６から後退するときは、単一の傾斜角で連続して傾斜するテーパ面６０は、グリスが塗布されたＯリング３８の外周面と当接しながら円滑に移動することが可能になる。その結果、Ｏリング３８の外周面がテーパ面６０に擦れて摩耗することを抑制できる。
【００２２】
＜本実施形態の効果＞
本実施形態の流量調整弁１では、弁体５が弁口１６を開放させた状態よりも、弁体５の閉鎖部材４２が弁口１６を閉鎖した状態での筒状部５０のテーパ面６０と案内部材４の外周面との間のシール性能を向上させながら、弁体５が弁口１６を開放及び閉鎖した状態において、Ｏリング３８の外周面が前記テーパ面６０に密着した状態が保たれる。このため、該テーパ面６０とＯリング３８の外周面との間に水が流通することがない。これにより、Ｏリング３８の外周面に塗布されたグリスが、水によって流れ出すことがない。その結果、弁体５が弁口１６に対して進退する際には、グリスが塗布されたＯリング３８を介し、弁体５に連設された筒状部５０のテーパ面６０が、案内部材４の外周面を摺動するため、該外周面に沿って前記テーパ面６０（弁体５）を円滑に摺動させることができる。よって、弁体５の摺動抵抗が増加することを抑制できる。
さらに、グリスが塗布されたＯリング３８を介し、筒状部５０のテーパ面６０が、案内部材４の外周面に沿って円滑に摺動すれば、Ｏリング３８が前記テーパ面６０に擦れて摩耗する度合いを低くできる。これにより、Ｏリング３８の耐久性を向上させることができる。
【００２３】
また、筒状部５０が弁口１６に向けて前進して、弁体５の閉鎖部材４２が弁口１６を閉鎖するときには、筒状部５０が弁口１６から後退して、弁体５が弁口１６を開放するときと比較して、筒状部５０のテーパ面６０をＯリング３８の外周面により接近させることができる。これにより、弁体５が弁口１６を開放するときよりも閉鎖するときの方が、テーパ面６０でＯリング３８の外周面を押圧する力を強めることができる。よって、弁体５が弁口１６を開放するときよりも閉鎖するときの方が、Ｏリング３８のつぶし代を大きく設定できる。
加えて、弁体５が弁口１６に対して進退する際には、連続するテーパ面６０は、グリスが塗布されたＯリング３８の外周面と当接しながら円滑に移動することが可能になる。その結果、Ｏリング３８の外周面がテーパ面６０に擦れて摩耗することを抑制できる。
【００２４】
本発明は、上述した実施形態に限定されるものではなく発明の趣旨を逸脱しない範囲内において構成の一部を適宜変更して実施できる。上述した実施形態では、筒状部５０の内周面５１を、弁軸３の軸線方向で該弁軸３の後端側に向かうに従ってＯリング３８への接近側へ傾斜させたテーパ面６０とした例を示したが、これに限らない。例えば、上述した実施形態とは異なり、筒状部５０の内周面の内径寸法を、案内部材４の前端側の外径寸法よりも大きくし、かつ該前端側の外周面に形成されたシール部材支持溝３７に嵌合され該シール部材支持溝３７から張り出すＯリング３８の外周を結ぶ円の直径よりも小さく設定したうえで、弁軸３の軸線方向における弁軸３の後端側で当該内周面から筒状部５０の内側へ環状に突出し、Ｏリング３８の外周面をＯリング３８の径方向内側へ向けて押圧する押圧部材を設けてもよい。このような場合にも、弁体５の閉鎖部材４２が弁口１６を閉鎖するときには、弁体５が弁口１６を開放するときと比較して、押圧部材によって、Ｏリング３８の外周面を押圧する力を強めることができる。よって、弁体５が弁口１６を開放するときよりも閉鎖するときの方が、Ｏリング３８のつぶし代を大きく設定できる。なお、当該押圧部材は本発明のシール部材圧縮部の一例である。
【００２５】
また、上述した実施形態では、筒状部５０の内周面５１をテーパ面６１とした例を示したが、これに代えて、弁軸３の軸線方向で前記内周面５１の内径寸法を同径とし、該内周面５１に凹設したシール部材支持溝に、Ｏリングを該シール部材支持溝から張り出すように嵌合させたうえで、案内部材４の前端側の外周面を、前記軸線方向で弁軸３の先端側に向かうに従って、当該Ｏリングへの接近側へ傾斜させたテーパ面としてもよい。このような場合にも、上述した実施形態と同様に、弁体５が弁口１６を開放するときよりも閉鎖するときのＯリングのつぶし代（Ｏリングの径方向外側への圧縮変形量）を大きく設定できる。さらに、弁軸３の軸線方向で前記内周面５１の内径寸法を同径とし、該内周面５１に凹設したシール部材支持溝に、Ｏリングを該シール部材支持溝から張り出すように嵌合させたうえで、案内部材４の先端側の外径寸法を、弁軸３の軸線方向で同径とし、該軸線方向における弁軸３の先端側で案内部材４の外面から外側へ環状に突出し、Ｏリングの内周面を該Ｏリングの径方向外側へ向けて押圧する押圧部材を設けてもよい。このような場合にも、弁体５が弁口１６を開放するときよりも閉鎖するときのＯリングのつぶし代（Ｏリングの径方向外側への圧縮変形量）を大きく設定できる。
【００２６】
加えて、上述した実施形態では、筒状部５０が弁体５に延設された例を示したが、これとは異なり、筒状部５０は、弁体５とは別体として形成した後に、弁体５に接合させたものであってもよい。
【符号の説明】
【００２７】
１・・流量調整弁、２・・弁ハウジング、３・・弁軸、４・・案内部材、５・・弁体、１６・・弁口、１７・・弁座、３８・・Ｏリング、４２・・閉鎖部材、５０・・筒状部、５１・・筒状部の内周面、６０・・テーパ面、Ａ・・閉鎖部材が弁口を閉鎖した状態でのＯリングのつぶし代、Ｂ・・弁体が弁口を開放した状態でのＯリングのつぶし代、Ｍ・・駆動モータ。
【図１】
2015230060.tif 000003
【図２】
2015230060.tif 000004
【図３】
2015230060.tif 000005
【図４】
2015230060.tif 000006